(57)【要約】【課題】  閉鎖状態におけるガラス扉のガタツキ防止したパチンコ機を提供する。【解決手段】  本発明に係るパチンコ機ＰＭは、遊技盤１０を収容保持する前枠２と、前枠２の表面側に揺動開閉可能に取り付けられ、閉鎖状態において遊技盤１０を視認可能なガラス扉３０と、前枠２の側部近傍に設けられた第２フック部６５および、ガラス扉の側部近傍に設けられて第２フック部６５と係合可能な第２受け具６６を有し、第２フック部６５と第２受け具６６とを係合させることでガラス扉３０を前枠２に対し閉鎖状態で施錠可能な施錠装置５０とを備え、前枠２の表面側における第２フック部６５の近傍に、ガラス扉３０が施錠装置５０に閉鎖施錠された状態でガラス扉３０に当接可能なボス部２７が設けられ、ボス部２７がガラス扉３０に当接した状態で、ガラス扉３０の裏面側と前枠２の表面側との間に所定の隙間が形成されるように構成される。【選択図】  図２
2006218095.tif 000002
【特許請求の範囲】
【請求項１】
遊技盤を収容保持する前枠と、
前記前枠の一方の側部に支持された状態で前記前枠の表面側に揺動開閉可能に取り付けられ、閉鎖状態において遊技盤を視認可能なガラス扉と、
前記前枠の他方の側部近傍に設けられた枠側係合部材と、前記ガラス扉の他方の側部近傍に設けられ前記枠側係合部材と係合可能な扉側係合部材とを有し、前記枠側係合部材と前記扉側係合部材とを係合させることで前記ガラス扉を前記前枠に対し閉鎖状態で施錠可能な施錠装置とを備え、
前記前枠の表面側における前記枠側係合部材の近傍に、前記ガラス扉が前記施錠装置に閉鎖施錠された状態で前記ガラス扉に当接可能な突起部材が設けられ、前記突起部材が前記ガラス扉に当接した状態で、前記ガラス扉の裏面側と前記前枠の表面側との間に所定の隙間が形成されるように構成されることを特徴とする弾球遊技機。
【請求項２】
遊技盤を収容保持する前枠と、
前記前枠の一方の側部に支持された状態で前記前枠の表面側に揺動開閉可能に取り付けられ、閉鎖状態において遊技盤を視認可能なガラス扉と、
前記前枠の他方の側部近傍に設けられた枠側係合部材と、前記ガラス扉の他方の側部近傍に設けられ前記枠側係合部材と係合可能な扉側係合部材とを有し、前記枠側係合部材と前記扉側係合部材とを係合させることで前記ガラス扉を前記前枠に対し閉鎖状態で施錠可能な施錠装置とを備え、
前記ガラス扉の裏面側における前記扉側係合部材の近傍に、前記ガラス扉が前記施錠装置に閉鎖施錠された状態で前記前枠に当接可能な突起部材が設けられ、前記突起部材が前記前枠に当接した状態で、前記ガラス扉の裏面側と前記前枠の表面側との間に所定の隙間が形成されるように構成されることを特徴とする弾球遊技機。
【発明の詳細な説明】
【技術分野】
【０００１】
本発明は、パチンコ機に代表される弾球遊技機に関し、さらに詳しくは、弾球遊技機に構成されるガラス扉を前枠に対して閉鎖保持するための構造に関する。
【背景技術】
【０００２】
弾球遊技機の代表例であるパチンコ機では、固定保持枠をなす外枠に、遊技盤を収容保持する前枠が開閉可能に支持される。遊技盤の表面には、遊技釘や入賞装置等が配設された遊技領域が形成されている。前枠の表面上部にはガラス扉が開閉可能に支持され、前枠に収容保持された遊技盤（遊技領域）がこのガラス扉を通して視認されるようになっている（例えば、特許文献１を参照）。
【０００３】
また、前枠は、パチンコ機の右側に設けられた施錠装置を用いて、常には外枠と係合連結された閉止状態に保持される。さらに、ガラス扉は、上述の施錠装置を用いて、常には前枠の表面を覆う閉止状態に保持される。このダブル錠と称される施錠装置は、鍵穴に鍵を差し込んで一方に回動させると前枠が解錠され、他方に回動させるとガラス扉が解錠されるようになっている。
【特許文献１】特開２００２−１５９７１１号公報
【発明の開示】
【発明が解決しようとする課題】
【０００４】
しかしながら、従来のパチンコ機においては、ガラス扉を前枠に対し閉鎖させたときにガラス扉の裏面側縁部が前枠に当接する構成であったため、ガラス扉の寸法公差や変形により、閉鎖状態にあるガラス扉においてガタツキが生じ易くなっていた。さらには、ガラス扉の変形により、ガラス扉を前枠に対し閉鎖させたときに施錠装置による施錠が行われなくなるおそれがあった。
【０００５】
本発明は、このような問題に鑑みて成されたものであり、閉鎖状態におけるガラス扉のガタツキ防止した弾球遊技機を提供することを目的とする。
【課題を解決するための手段】
【０００６】
このような目的達成のため、第１の発明に係る弾球遊技機（例えば、実施形態におけるパチンコ機ＰＭ）は、遊技盤を収容保持する前枠と、前枠の一方の側部に支持された状態で前枠の表面側に揺動開閉可能に取り付けられ、閉鎖状態において遊技盤を視認可能なガラス扉と、前枠の他方の側部近傍に設けられた枠側係合部材（例えば、実施形態における第２フック部６５）と、ガラス扉の他方の側部近傍に設けられ枠側係合部材と係合可能な扉側係合部材（例えば、実施形態における第２受け具６６）とを有し、枠側係合部材と扉側係合部材とを係合させることでガラス扉を前枠に対し閉鎖状態で施錠可能な施錠装置とを備え、前枠の表面側における枠側係合部材の近傍に、ガラス扉が施錠装置に閉鎖施錠された状態でガラス扉に当接可能な突起部材（例えば、実施形態におけるボス部２７）が設けられ、突起部材がガラス扉に当接した状態で、ガラス扉の裏面側と前枠の表面側との間に所定の隙間が形成されるように構成される。
【０００７】
また、第２の発明に係る弾球遊技機は、遊技盤を収容保持する前枠と、前枠の一方の側部に支持された状態で前枠の表面側に揺動開閉可能に取り付けられ、閉鎖状態において遊技盤を視認可能なガラス扉と、前枠の他方の側部近傍に設けられた枠側係合部材（例えば、実施形態における第２フック部６５）と、ガラス扉の他方の側部近傍に設けられ枠側係合部材と係合可能な扉側係合部材（例えば、実施形態における第２受け具６６）とを有し、枠側係合部材と扉側係合部材とを係合させることでガラス扉を前枠に対し閉鎖状態で施錠可能な施錠装置とを備え、ガラス扉の裏面側における扉側係合部材の近傍に、ガラス扉が施錠装置に閉鎖施錠された状態で前枠に当接可能な突起部材（例えば、実施形態における突起部材３７）が設けられ、突起部材が前枠に当接した状態で、ガラス扉の裏面側と前枠の表面側との間に所定の隙間が形成されるように構成される。
【発明の効果】
【０００８】
第１の発明によれば、前枠の表面側における枠側係合部材の近傍に、ガラス扉が施錠装置に閉鎖施錠された状態でガラス扉に当接可能な突起部材が設けられ、突起部材がガラス扉に当接した状態で、ガラス扉の裏面側と前枠の表面側との間に所定の隙間が形成されるように構成されるため、前枠に対してガラス扉を閉鎖揺動させると、常にはガラス扉が突起部材に当接することでガラス扉の閉鎖揺動が止まることになる。そのため、突起部材が枠側係合部材の近傍に設けられることで、前枠に対するガラス扉の閉鎖位置を安定させることが可能となり、閉鎖状態にあるガラス扉のガタツキを防止することができる。
【０００９】
また、第２の発明によれば、ガラス扉の裏面側における扉側係合部材の近傍に、ガラス扉が施錠装置に閉鎖施錠された状態で前枠に当接可能な突起部材が設けられ、突起部材が前枠に当接した状態で、ガラス扉の裏面側と前枠の表面側との間に所定の隙間が形成されるように構成されるため、前枠に対してガラス扉を閉鎖揺動させると、常には突起部材が前枠に当接することでガラス扉の閉鎖揺動が止まることになる。そのため、前枠に対するガラス扉の閉鎖位置を安定させることが可能となり、閉鎖状態にあるガラス扉のガタツキを防止することができる。
【発明を実施するための最良の形態】
【００１０】
以下、本発明の好ましい実施形態について図面を参照しながら説明する。本発明に係る弾球遊技機の代表例としてパチンコ機ＰＭを図１〜図３に示している。ここで、図１はパチンコ機ＰＭを正面側から見た斜視図、図２はパチンコ機ＰＭのガラス扉および上球皿を開放して示す斜視図、そして図３はパチンコ機ＰＭの前枠を外枠に対して開放した状態を示す斜視図である。
【００１１】
パチンコ機ＰＭは、図１に示すように、外郭方形枠サイズに構成されて縦向きの固定保持枠をなす外枠１と、これに合わせた方形枠サイズに構成された開閉搭載用の前枠２とを主体に構成される。前枠２は、外枠１および前枠２の正面左側上下に配設されたヒンジ機構３ａ，３ｂにより外枠１の左側部に支持された状態で、外枠１の開口前面に対し前方に揺動開閉及び着脱が可能に取り付けられ、正面右側に設けられたダブル錠と称される施錠装置５０を利用して常には外枠１と係合連結された閉止状態に保持される。
【００１２】
前枠２の前面（表面）上部には、ガラス扉３０が左端部のヒンジ（図示せず）により前枠２の左側部に支持された状態で揺動開閉および着脱可能に取り付けられ、施錠装置５０により常には前枠２の前面を覆う閉止状態に保持される。ガラス扉３０の背後に位置する前枠上部には、遊技盤１０の前面側を支持する前方支持部２１と、この前方支持部２１から後方に突出して遊技盤１０を着脱自在に収容する収容枠（図示せず）とが設けられており、この収容枠に立設姿勢で係止保持された遊技盤１０がガラス扉３０を通して視認されるようになっている。また、前方支持部２１の左右上部にはスピーカ２２がそれぞれ配設されている。
【００１３】
遊技盤１０は、所定板厚の積層合板の表面にセルを貼り付けてルーター加工した化粧板を基板とし、円弧状のレール１１等に囲まれて略円形状の遊技領域ＰＡが形成されている。遊技領域ＰＡには、多数本の遊技釘や風車（図示せず）とともに各種入賞装置（図示せず）等の遊技構成部品が取り付けられ、下端部にアウト口１２が設けられている。
【００１４】
また、ガラス扉３０は、前枠２の前面（表面）上部に揺動開閉および着脱可能に取り付けられる扉枠３１と、扉枠３１の裏面側に揺動開閉および着脱可能に取り付けられるガラスアッセンブリ３２とを主体に構成される。ガラスアッセンブリ３２は、前後２枚のガラス板がその周縁を支持する保護フレームに収容される構成となっており、扉枠３１の裏面左側に設けられたヒンジ機構３４ａ，３４ｂにより、扉枠３１の左側部に支持された状態で揺動開閉および着脱可能に取り付けられる。扉枠３１の裏面右側には、上下に係止部材３５，３５がそれぞれ設けられており、この係止部材３５，３５によってガラスアッセンブリ３２が扉枠３１の窓口開口を覆う閉止位置に係止保持される。
【００１５】
なお、上下の係止部材３５，３５は、ガラスアッセンブリ３２の右側に形成された上下の係止片部３３，３３に対しそれぞれ係止可能に構成されており、扉枠３１の裏面右側に対し、上下の係止片部３３，３３にそれぞれ係止可能な係止位置と、この係止位置から右方（外方）へ揺動変位した非係止位置とに揺動可能に取り付けられる。そして、上下の係止部材３５，３５が上下の係止片部３３，３３にそれぞれ係止することで、ガラスアッセンブリ３２が扉枠３１の窓口開口を覆う閉止位置に係止保持されるようになっている。
【００１６】
前枠２の前面（表面）における上記ガラス扉３０の下側には、上球皿６が左端のヒンジ機構２３（図２を参照）により横開きおよび着脱可能に取り付けられ、常には右側に設けられたロック機構２４（図２を参照）によりガラス扉３０の下側において前枠２の前面を覆った状態で係止保持されている。また、図２に示すように、上球皿６に前面側が覆われた前枠２の下部領域には遊技補助盤２５と称される補助機構部が形成されており、この遊技補助盤２５には、遊技盤１０の遊技領域ＰＡ内に遊技球を発射する遊技球発射装置２６等が設けられている。
【００１７】
前枠２の前面（表面）における上球皿６の下方には、図１に示すように、下球皿７が前方に突出して設けられている。この下球皿７は、上球皿６に貯留された遊技球（賞球）がオーバーフローしたときや、遊技者が上球皿６の球抜きレバー６ａを操作して上球皿６から遊技球を抜いたときに、前枠２側に形成された球皿通路２８および下球皿出口２９を介して送られてくる遊技球を受容して貯留するようになっている。また、下球皿７の右側には、遊技球の発射操作を行う発射ハンドル８が取り付けられている。
【００１８】
前枠２の背面（裏面）上部には、図３に示すように、外枠１の背面側における右上部内側の形状に合わせて逆Ｌ字形に形成された第１裏セット盤４０がヒンジ機構（図示せず）により揺動開閉および着脱可能に取り付けられ、常には前枠２の背面右上部を覆う閉鎖状態に保持される。第１裏セット盤４０には、遊技球を貯留するとともに貯留した遊技球を整列させて流下させる球貯留タンク４１、入賞状態等に基づいて遊技球を払い出す球払出装置４２、球払出装置４２から払い出された遊技球を上球皿６に導く球払出通路４３等の遊技球の処理機構が設けられている。
【００１９】
前枠２の背面（裏面）下部には、前枠２の背面下部を覆う第２裏セット盤４５がヒンジ機構（図示せず）により揺動開閉および着脱可能に取り付けられ、常には前枠２の背面下部を覆う閉鎖状態に保持される。第２裏セット盤４５には、各制御装置および電子部品等に電力を供給する電源ユニット４６や、遊技球の払出作動を制御する球払出制御装置４７、パチンコ機ＰＭの作動を統括的に制御する主制御装置（図示せず）等が取り付けられており、これらが図示しないコネクタケーブルで接続されてパチンコ機ＰＭが作動可能に構成される。
【００２０】
ところで、施錠装置５０は、図４および図５に示すように、前枠２の右側部背面（裏面）側に固定配設された基枠体５１と、この基枠体５１に対して上下方向へ昇降移動自在に取り付けられた第１昇降作動杆５３と、基枠体５１の立設面と第１昇降作動杆５３との間に摺動自在に挟持されて上下方向へ昇降移動自在な第２昇降作動杆６３と、基枠体５１の前面側に固定配設され、図１に示すように前枠２前面の右側部側でガラス扉３０の下方に鍵穴部６１が露出配設される錠６０等から構成されている。ここで、図４は施錠装置５０の右側面図、図５は施錠装置５０の背面図である。
【００２１】
基枠体５１は、図４および図５に示すように、例えば薄板板金材料を打ち抜き及びプレス成形して概略Ｌ字断面の所要形状に成形され、ネジ等の図示せぬ固定手段で前枠２の右側部背面（裏面）側に固定配設される。図４に示すように、基枠体５１の下端部近傍には、外枠１の右内側面に設けられたレール（図示せず）上を転がり移動可能なローラ５２が配設されており、外枠１に対して前枠２を開閉し易いようになっている。
【００２２】
第１昇降作動杆５３は、図４に示すように、基枠体５１と同様の成形加工により板状に成形され、各昇降作動杆５３，６３の所定箇所に形成された第１の長穴部５３ａを嵌通して基枠体５１に固着された第１案内ピン５４を用いて、基枠体５１に対し上下方向へ昇降移動可能に取り付けられる。第１昇降作動杆５３の上下端部には、第１フック部５５，５５が後方へ延びるように形成されており、第１昇降作動杆５３と一体に下方へ変位したときに、図４に示すように、外枠１の右内側面に設けられた上下の第１受け具５６，５６とそれぞれ係合可能に構成されている。
【００２３】
基枠体５１と第１昇降作動杆５３とに跨って第１付勢バネ５７が配設されており、第１昇降作動杆５３を常時下方へ付勢するようになっている。このため、常には上下の第１フック部５５，５５が第１受け具５６，５６とそれぞれ係合して、外枠１に対し前枠２を閉鎖保持する施錠保持状態が維持され、第１昇降作動杆５３とともに上下の第１フック部５５，５５を上動させて第１受け具５６，５６との係合を解離させることで、前枠２を外枠１に対して開放させることができるように構成されている。
【００２４】
第２昇降作動杆６３は、図４に示すように、基枠体５１と同様の成形加工により板状に成形され、基枠体５１の立設面と第１昇降作動杆５３との間に摺動自在に挟持されるとともに、各昇降作動杆５３，６３の所定箇所に形成された第２の長穴部６３ａを嵌通して基枠体５１に固着された第２案内ピン６４を用いて、基枠体５１の立設面と第１昇降作動杆５３との間に昇降移動自在に取り付けられる。第２昇降作動杆６３の上下には、第２フック部６５，６５が前方へ延びるように形成されており、第２昇降作動杆６３と一体に上方へ変位したときに、図４に示すように、ガラス扉３０（扉枠３１）の右内側面に設けられた上下の第２受け具６６，６６とそれぞれ係合可能に構成されている。なお、上下の第２フック部６５，６５はそれぞれ、前枠２における前方支持部２１の右側上下に形成されたフック通過穴（図示せず）を通過して、図２に示すように、前枠２の前方支持部２１より前方に突出するようになっている。
【００２５】
基枠体５１と第２昇降作動杆６３とに跨って第２付勢バネ６７が配設されており、第２昇降作動杆６３を常時上方へ付勢するようになっている。このため、常には上下の第２フック部６５，６５が第２受け具６６，６６とそれぞれ係合して、前枠２に対しガラス扉３０を閉鎖保持する施錠保持状態が維持され、第２昇降作動杆６３とともに上下の第２フック部６５，６５を下動させて第２受け具６６，６６との係合を解離させることで、ガラス扉３０を前枠２に対して開放させることができるように構成されている。また、第２フック部６５，６５の上方には、前方へ突出するように形成されて先端部が前方へ向かうにつれて上方へ傾斜する突起部６８，６８がそれぞれ形成されており、第２昇降作動杆６３と一体に下方へ変位したときに、上下の突起部６８，６８が第２フック部６５，６５との係合が解離された第２受け具６６，６６にそれぞれ当接して前方へ押圧し、ガラス扉３０を前枠２に対して開放させるように構成されている。
【００２６】
錠６０は一般に「ダブル錠」とも呼ばれている形態の錠が使用されている。この錠６０はいわゆる解錠操作型の錠であり、解錠操作が行われていない状態において錠６０の回動軸が中立角度位置に付勢保持されている。錠６０に適合する鍵が前枠前面に露出する錠６０の鍵穴部６１（図１を参照）に嵌挿される（差し込まれる）と、錠６０の回動軸が回動可能な状態に設定され、鍵を右回りまたは左回りの二方向に回動操作することが可能になる。図４および図５に示すように、この回動軸の軸端に解錠盤６２が固定されている。
【００２７】
解錠盤６２はカム盤とも称され、図５に示すように、薄板板金材料をプレス成形して図示するような二つの突出端部、すなわち第１突出端部６２ａおよび第２突出端部６２ｂを有する所定のカム形状に形成されている。このうち第１突出端部６２ａは前枠２を解錠させる作動端としての機能を有し、その先端上面が第１昇降作動杆５３に形成された第１係合穴部（図示せず）と係合可能に設定されている。また、第２突出端部６２ｂはガラス扉３０を解錠させる作動端としての機能を有し、その先端下面が第１昇降作動杆に形成された第１係合穴部を通して第２昇降作動杆６３に形成された第２係合穴部（図示せず）と係合可能に設定されている。
【００２８】
このため、例えば、前枠前面側から鍵により右回り（時計回り）に解錠操作を行ったときには、解錠盤６２が図５における左回り（反時計回り）に回動され、第１突出端部６２ａの先端上面が第１昇降作動杆５３における第１係合孔部（図示せず）の開口端面と係合して第１昇降作動杆５３を上昇方向に移動可能となる。従って、この係合位置から第１付勢バネ５７の付勢力に抗して第１昇降作動杆５３を上動させることにより、上下の第１フック部５５，５５を上動させて第１受け具５６，５６との係合を解離させ、前枠２を外枠１に対して開放させることができる。
【００２９】
一方、前枠前面側から鍵により左回り（反時計回り）に解錠操作を行ったときには、解錠盤６２が図５における右回り（時計回り）に回動され、第２突出端部６２ｂの先端下面が第２昇降作動杆６３における第２係合穴部（図示せず）の開口端面と係合して第２昇降作動杆６３を下降方向に移動可能となる。従って、この係合位置から第２付勢バネ６７の付勢力に抗して第２昇降作動杆６３を下動させることにより、上下の第２フック部６５，６５を上動させて第２受け具６６，６６との係合を解離させるとともに、上下の突起部６８，６８を第２フック部６５，６５との係合が解離された第２受け具６６，６６に当接させ、ガラス扉３０を前枠２に対して開放させることができる。
【００３０】
さて、図２に示すように、前枠２における前方支持部２１の前面（表面）右側上下には、ボス部２７，２７がそれぞれ前方へ突出するように一体形成されている。すなわち、上下のボス部２７，２７は、施錠装置５０に構成される上下の第２フック部６５，６５の近傍に位置して形成されている。この上下のボス部２７，２７は、ガラス扉３０が施錠装置５０に閉鎖施錠された状態でガラス扉３０に当接可能に構成され、図６に示すように、ボス部２７がそれぞれガラス扉３０に当接した状態で、ガラス扉３０の裏面側と前枠２の表面（前面）側との間に所定の隙間Ｓ１が形成されるようになっている。
【００３１】
これにより、前枠２に対してガラス扉３０を閉鎖揺動させると、常にはガラス扉３０がボス部２７に当接することでガラス扉３０の閉鎖揺動が止まることになる。そのため、ボス部２７が第２フック部６５の近傍に設けられることで、前枠２に対するガラス扉３０の閉鎖位置を安定させることが可能となり、閉鎖状態にあるガラス扉３０のガタツキを防止することができる。
【００３２】
このように構成されるパチンコ機ＰＭにおいて、ガラス扉３０、上球皿６、第１および第２裏セット盤４０，４５等が閉鎖保持された状態で遊技に供され、上球皿６に遊技球を貯留させて発射ハンドル８を回動操作することにより遊技が開始される。そして、発射ハンドル８が回動操作されると、上球皿６に貯留された遊技球は、上球皿６の裏面側に位置する遊技球発射装置２６により１球ずつ遊技領域ＰＡに打ち出され、パチンコゲームが展開される。
【００３３】
なお、図１に示すように外枠１に対し前枠２を閉鎖揺動させると、図４に示すように、前枠２側の第１フック部５５，５５が外枠１側の第１受け具５６，５６とそれぞれ係合して、外枠１に対し前枠２を閉鎖保持する施錠保持状態が維持される。また、図１に示すように前枠２に対しガラス扉３０を閉鎖揺動させると、図４に示すように、前枠２側の第２フック部６５，６５がガラス扉３０側の第２受け具６６，６６とそれぞれ係合して、前枠２に対しガラス扉３０を閉鎖保持する施錠保持状態が維持される。
【００３４】
そして、錠６０に適合する鍵（図示せず）を錠６０の鍵穴部６１に差し込んで、鍵により右回り（時計回り）に解錠（回動）操作を行うと、前述のように、第１フック部５５，５５と第１受け具５６，５６との係合が解離されて前枠２が解錠され、図３に示すように前枠２を外枠１に対して開放させることができる。一方、鍵により左回り（反時計回り）に解錠（回動）操作を行うと、前述のように、第２フック部６５，６５と第２受け具６６，６６との係合が解離されてガラス扉３０が解錠され、図２に示すようにガラス扉３０を前枠２に対して開放させることができる。
【００３５】
ところで、従来のパチンコ機においては、ガラス扉３０′を前枠２′に対し閉鎖させたときにガラス扉３０′の裏面側縁部が前枠２′に当接する構成であったため、ガラス扉３０′の寸法公差や変形により、閉鎖状態にあるガラス扉３０′においてガタツキが生じ易くなっていた（例えば、図１０を参照）。さらには、ガラス扉３０′の変形により、ガラス扉３０′を前枠２′に対し閉鎖させたときに施錠装置５０′による施錠が行われなくなるおそれがあった。
【００３６】
一方、本実施形態においては、図６に示すように、ボス部２７がガラス扉３０に当接した状態で、ガラス扉３０の裏面側と前枠２の表面（前面）側との間に所定の隙間Ｓ１が形成されるようになっているため、常にはガラス扉３０がボス部２７に当接することでガラス扉３０の閉鎖揺動が止まることになる。そのため、ボス部２７が第２フック部６５の近傍に設けられることで、例えば、ガラス扉３０で若干変形が生じたとしても、前枠２に対してガラス扉３０を閉鎖揺動させると、この隙間Ｓ１によりガラス扉３０の一部が先に前枠２の表面側に当接することはなく、施錠装置５０の第１フック部５５と第１受け具５６とが係合した後、ガラス扉３０がボス部２７に当接してガラス扉３０の閉鎖揺動が止まることになる（例えば、図９を参照）。すなわち、ボス部２７が第２フック部６５の近傍に設けられることで、前枠２に対するガラス扉３０の閉鎖位置を安定させることが可能となり、閉鎖状態にあるガラス扉３０のガタツキを防止することができる。
【００３７】
なお、図６に示すように、施錠装置５０によりガラス扉３０が前枠２に対し閉鎖状態で施錠されるとき、ガラス扉３０の係止部材３５はガラスアッセンブリ３２の係止片部３３にそれぞれ係止し、ガラスアッセンブリ３２が扉枠３１の窓口開口を覆う閉止位置に係止保持される。一方、係止部材３５が非係止位置に位置するときには、図７に示すように、前枠２に対しガラス扉３０を閉鎖揺動させると係止部材３５がボス部２７に当接し、ガラス扉３０の閉鎖揺動および第２フック部６５と第２受け具６６との係合（すなわち、施錠装置５０による施錠）が規制されるようになっている。これにより、係止部材３５が係止片部３３に係止しないまま、ガラス扉３０が前枠２に対して閉鎖されるのを防止することができる。
【００３８】
そして、以上のような構成のパチンコ機ＰＭによれば、前枠２の表面側における第２フック部６５の近傍に、ガラス扉３０が施錠装置５０に閉鎖施錠された状態でガラス扉３０に当接可能なボス部２７が設けられ、ボス部２７がガラス扉３０に当接した状態で、ガラス扉３０の裏面側と前枠２の表面側との間に所定の隙間Ｓ１が形成されるように構成されるため、前枠２に対してガラス扉３０を閉鎖揺動させると、常にはガラス扉３０がボス部２７に当接することでガラス扉３０の閉鎖揺動が止まることになる。そのため、ボス部２７が第２フック部６５の近傍に設けられることで、前枠２に対するガラス扉３０の閉鎖位置を安定させることが可能となり、閉鎖状態にあるガラス扉３０のガタツキを防止することができる。
【００３９】
なお、上述の実施形態において、前枠２の表面側における第２フック部６５の近傍にボス部２７が設けられているが、これに限られるものではない。例えば、図２の二点鎖線で示すように、ガラス扉３０の裏面側における第２受け具６６，６６の近傍に、ガラス扉３０が施錠装置５０に閉鎖施錠された状態で前枠２に当接可能な突起部材３７，３７を設け、図８に示すように、突起部材３７が前枠２（前方支持部２１）に当接した状態で、ガラス扉３０の裏面側と前枠２の表面側との間に所定の隙間Ｓ２が形成されるようにしてもよい。
【００４０】
このようにすれば、前枠２に対してガラス扉３０を閉鎖揺動させると、常には突起部材３７が前枠２（前方支持部２１）に当接することでガラス扉３０の閉鎖揺動が止まることになる。そのため、突起部材３７が第２受け具６６の近傍に設けられることで、前枠２に対するガラス扉３０の閉鎖位置を安定させることが可能となり、上述の実施形態と同様に、閉鎖状態にあるガラス扉３０のガタツキを防止することができる。
【００４１】
また、上述の実施形態において、ボス部２７が前方支持部２１の右側上下２箇所に設けられているが、これに限られるものではなく、例えば、ボス部２７が３個以上設けられてもよく、前枠２（前方支持部２１）の表面側における第２フック部６５の近傍に設けられていればよい。
【００４２】
さらに、上述の実施形態において、ボス部２７が前枠２と一体に形成されているが、これに限られるものではなく、前枠２と別体に形成した突起部材を前枠２（前方支持部２１）に取り付けるようにしてもよい。
【００４３】
また、上述の実施形態において、施錠装置５０がパチンコ機ＰＭの右側に配設されているが、これに限られるものではなく、パチンコ機ＰＭの左側に配設されてもよい。なおこのとき、前枠２が外枠１の右側部に開閉可能に支持されるとともに、ガラス扉３０や上球皿６が前枠２の右側部に開閉可能に支持されていることが好ましい。
【００４４】
さらに、上述の実施形態において、本発明に係る弾球遊技機としてパチンコ機ＰＭを例に説明しているが、これに限られるものではなく、例えば、アレンジボール機や雀球遊技機等の弾球遊技機に対しても本発明を適用することができる。
【図面の簡単な説明】
【００４５】
【図１】本発明に係る弾球遊技機の一例であるパチンコ機を正面側から見た斜視図である。
【図２】上記パチンコ機のガラス扉および上球皿を開放して示す斜視図である。
【図３】上記パチンコ機の前枠を外枠に対して開放した状態を示す斜視図である。
【図４】上記パチンコ機に構成される施錠装置の右側面図である。
【図５】上記パチンコ機に構成される施錠装置の背面図である。
【図６】上記パチンコ機の平断面図である。
【図７】上記パチンコ機に構成される係止部材がボス部に当接した状態を示す平断面図である。
【図８】上記パチンコ機の変形例を示す平断面図である。
【図９】上記パチンコ機の模式図（平面図）である。
【図１０】従来のパチンコ機の模式図（平面図）である。
【符号の説明】
【００４６】
ＰＭ  パチンコ機（弾球遊技機）
ＰＡ  遊技領域
Ｓ１  隙間
Ｓ２  隙間（変形例）
２  前枠
１０  遊技盤
２１  前方支持部
２７  ボス部（突起部材）
３０  ガラス扉
３７  突起部材（変形例）
５０  施錠装置
６５  第２フック部（枠側係合部材）
６６  第２受け具（扉側係合部材）
【図１】
2006218095.tif 000003
【図２】
2006218095.tif 000004
【図３】
2006218095.tif 000005
【図４】
2006218095.tif 000006
【図５】
2006218095.tif 000007
【図６】
2006218095.tif 000008
【図７】
2006218095.tif 000009
【図８】
2006218095.tif 000010
【図９】
2006218095.tif 000011
【図１０】
2006218095.tif 000012